(57)【要約】【課題】使い易くかつ長期間使用可能であるとともに、種々のノズル噴霧管に対応できるノズルホルダを備えた噴霧機を提供する。【解決手段】薬剤タンク１とこの薬剤タンク１の薬液を圧送するポンプとを含む噴霧機本体７と、ポンプから圧送された薬液を噴霧する噴霧ノズル管２１とを備えた噴霧機であって、噴霧機本体７に、薬剤タンク１の凹部を覆うシート３２の延長部分３３を丸めることにより形成されたラッパ状のノズルホルダ３１が設けられている。【選択図】      図１
2004261770.tif 000002
【特許請求の範囲】
【請求項１】
薬剤タンク（１）とこの薬剤タンク（１）の薬液を圧送するポンプとを含む噴霧機本体（７）と、前記ポンプから圧送された薬液を噴霧する噴霧ノズル管（２１）とを備えた噴霧機であって、前記噴霧機本体（７）に、ラッパ状のノズルホルダ（３１）が設けられていることを特徴とする噴霧機。
【請求項２】
前記薬剤タンク（１）の凹部に前記ポンプが設けられ、前記凹部がシート（３２）により覆われているとともに、このシート（３２）の一部（３３）を丸めることにより前記ノズルホルダ（３１）が形成されていることを特徴とする請求項１に記載の噴霧機。
【請求項３】
前記ノズルホルダ（３１）は、前記シート（３２）を前記薬剤タンク（１）に固定する固定具（１３）を用いて、前記薬剤タンク（１）に固定されていることを特徴とする請求項２に記載の噴霧機。
【発明の詳細な説明】
【０００１】
【発明の属する技術分野】
本発明は、噴霧機に関する。
【０００２】
【従来の技術】
図４乃至図６は、従来の肩掛式の噴霧機を示す図である。
この肩掛式の噴霧機は、合成樹脂製の薬剤タンク１を備えている。この薬剤タンクの上部中央には薬液等を投入する蓋２が設けられている。また、薬剤タンク１の背面側の下部寄りの部分には、凹部（図示せず）が形成されており、この凹部内には、ポンプ（図示せず）、このポンプを駆動するモータ（原動機）（図示せず）および電池（図示せず）が設置されている。これらの薬剤タンク１、ポンプ、原動機および電池は、噴霧機本体７を構成している。
【０００３】
薬剤タンク１の両側面の上端部にはそれぞれ、肩掛けバンド１１の両端部が取り付けられている。また、薬剤タンク１の背面には、前記凹部の背面側を覆う合成樹脂発泡材からなるシート１２が、複数個（ここでは４個）のねじ１３により四隅を固定されている。また、薬剤タンク１の背面側の一方の角部の下部寄りには、合成樹脂製のＬ字板状のブラケット１４が取り付けられており、このブラケット１４に、モータ用のスイッチ１５や、ポンプの吐出口に接続された接続金具１６が取り付けられている。接続金具１６には、噴霧ホース１８の一端が接続され、噴霧ホース１８の他端は噴霧ノズル管２１に接続されている。噴霧ノズル管２１は、ランス２２の基端部および先端部にそれぞれ、グリップ２３およびノズル２４が取り付けられて成るもので、グリップ２３に噴霧ホース１８が接続されているとともに、ランス２２のグリップ２３近傍にコック２５が設けられている。
【０００４】
また、ブラケット１４の側面側の後端部には、ノズルホルダ２７がブラケット１４と一体に形成されている。このノズルホルダ２７は、図７および図８に示すように、突起状のもので、外側面に上下方向に延びる凹部２８が形成されている。この凹部２８にノズル噴霧管２１のランス２２を押し込むことにより、凹部２８にランス２２が挟持されて、図４乃至図６に示すように、ノズル噴霧管２１を保持することができるようになっている（例えば、特許文献１参照）。
【０００５】
【特許文献１】
実開平３−５４７５９号公報
【０００６】
【発明が解決しようとする課題】
しかしながら、このような従来の肩掛式の噴霧機にあっては、ノズル噴霧管２１をノズルホルダ２７に装着するには、作業者が片手で薬剤タンク１を押えながら、ノズル噴霧管２１のランス２２をノズルホルダ２７の凹部２８に押し込む必要があるため、手間がかかる。そのため、作業の途中でノズルホルダ２７が使用されることは少なく、噴霧機の格納時や運搬時に使用されるだけとなり、使用頻度が少ないという問題がある。
【０００７】
また、このようなノズルホルダ２７は、合成樹脂の弾性を利用して、ノズル噴霧管２１のランス２２をノズルホルダ２７の凹部２８に挟持するため、合成樹脂の磨耗やへたり（弱り）により保持力が弱くなり易いという問題がある。
さらに、ノズルホルダ２７の凹部２８の形状（寸法）によって、挟持できるノズル噴霧管２１のランス２２が決まってしまうため、外径寸法の異なるランス２２を備えたノズル噴霧管２１には使用できないという問題がある。
【０００８】
本発明は、上記事情に鑑みて為されたもので、使い易くかつ長期間使用可能であるとともに、種々のノズル噴霧管に対応できるノズルホルダを備えた噴霧機を提供することを目的とする。
【０００９】
【課題を解決するための手段】
上記目的を達成するために、請求項１に記載の噴霧機は、薬剤タンク（１）とこの薬剤タンク（１）の薬液を圧送するポンプとを含む噴霧機本体（７）と、前記ポンプから圧送された薬液を噴霧する噴霧ノズル管（２１）とを備えた噴霧機であって、前記噴霧機本体（７）に、ラッパ状のノズルホルダ（３１）が設けられていることを特徴とする。
【００１０】
ここで、噴霧機は、ポンプをモータやエンジン等の原動機で駆動させる動力式であっても、あるいはポンプを人力で作動させる人力式であってもよい。
本発明は、肩掛式、背負式、手提げ式、手持ち式あるいは手押し式などの噴霧機に適用すると特に有効である。
【００１１】
請求項１に記載の発明においては、噴霧機本体にラッパ状のノズルホルダが設けられているので、ノズルホルダの上方からノズル噴霧管を投げ入れるだけで、ノズル噴霧管をノズルホルダに格納することができるとともに、ノズル噴霧管をノズルホルダから片手で容易に取り出すことができ、ノズルホルダの使い勝手が良い。したがって、作業途中においても作業者がノズルホルダを手軽に使うようになり、使用頻度が高くなる。
【００１２】
また、ノズル噴霧管をノズルホルダに差し込んで格納するので、ノズルホルダに弾性変形する箇所などがなく、長期間使用することができる。
また、ノズル噴霧管をラッパ状のノズルホルダに差し込んで格納するので、ノズル噴霧管のランスの外径寸法や、あるいはノズル噴霧管の種類が変わっても、広く対応することができる。
また、ノズルホルダの下部が開口しているので、薬液や泥等がノズルホルダに溜まることがない。
【００１３】
請求項２に記載の噴霧機は、請求項１に記載の発明において、前記薬剤タンク（１）の凹部に前記ポンプが設けられ、前記凹部がシート（３２）により覆われているとともに、このシート（３２）の一部（３３）を丸めることにより前記ノズルホルダ（３１）が形成されていることを特徴とする。
【００１４】
請求項２に記載の発明においては、薬剤タンクの凹部を覆うシートの一部を丸めて、ノズルホルダを形成しているので、製作コストを低減することができるとともに、部品が増えないのでメンテナンス上も有利である。
【００１５】
請求項３に記載の噴霧機は、請求項２に記載の発明において、前記ノズルホルダ（３１）は、前記シート（３２）を前記薬剤タンク（１）に固定する固定具（１３）を用いて、前記薬剤タンク（１）に固定されていることを特徴とする。
【００１６】
請求項３に記載の発明においては、シートを薬剤タンクに固定する固定具を用いて、ノズルホルダを薬剤タンクに固定しているので、部品コストおよび組立コストを低減することができる。
【００１７】
なお、上記における括弧内の符号は、図面において対応する要素を便宜的に表記したものであり、したがって本発明は図面上の記載に限定されるものではない。これは、「特許請求の範囲」の欄の記載についても同様である。
【００１８】
【発明の実施の形態】
以下、本発明の実施の形態を図面を参照して説明する。
図１乃至図３は、本発明の実施の形態に係る肩掛式の噴霧機を示す図であって、図１は背面図であり、図２は側面図であり、図３はシートを展開した状態で示す図である。なお、本発明は、噴霧機のシートおよびノズルホルダに特徴があり、その他の構成および作用は前述した従来の構成および作用と同様であるため、以下においては、本発明の特徴部分についてのみ言及し、それ以外の部分については、図４乃至図６と同一符号を付してその詳細な説明を省略することにする。
【００１９】
本実施の形態に係る肩掛式の噴霧機では、ノズルホルダ３１が次のように構成されている。すなわち、薬剤タンク１の凹部の背面側を覆う合成樹脂発泡材からなるシート３２が、図３に示すように、従来のシート１２よりも一側方が横に長く形成され、この延長部分（シートの一部）３３がラッパ状に丸められて、延長部分３３の側端部が、シート３２の本体部分の四隅を固定する４個のねじ（固定具）１３のうちの一側方の２つのねじ１３、１３により、シート３２の本体部分（凹部を覆う部分）と共に薬剤タンク１に固定されることにより、上側が口広のラッパ状のノズルホルダ３１が形成されている。ノズルホルダ３１の下側の開口は、ノズル噴霧管２１が落下しない程度に窄められている。
【００２０】
このように構成された肩掛式の噴霧機においては、薬剤タンク１に薬液等を入れた後、肩掛けバンド１１を作業者の肩に掛けて、噴霧機を野菜畑等の作業場所まで運んだ後、噴霧機本体７を地面において、ノズル噴霧管２１を用いて噴霧作業を行う。なお、肩掛けバンド１１を用いて噴霧機本体７を肩に掛けて移動しながら、噴霧作業を行うこともできる。
そして、噴霧機の格納時や運搬時、あるいは作業中のノズル噴霧管２１を使用しないときに、ノズル噴霧管２１をノズルホルダ３１に差し込んで、ノズル噴霧管２１をノズルホルダ３１に格納する。
【００２１】
この噴霧機にあっては、薬剤タンク１にラッパ状のノズルホルダ３１が設けられているので、ノズルホルダ３１の上方からノズル噴霧管２１を投げ入れるだけで、ノズル噴霧管２１をノズルホルダ３１に格納することができる。また、ノズル噴霧管２１をノズルホルダ３１から片手で容易に取り出すことができる。このように、ノズルホルダ３１の使い勝手が良いので、作業途中においても作業者がノズルホルダ３１を手軽に使うようになり、使用頻度が高くなる。
【００２２】
また、ノズル噴霧管２１をノズルホルダ３１に差し込んで格納するので、ノズルホルダ３１に弾性変形する箇所などがないため、長く使用することができる。
また、ノズル噴霧管２１をラッパ状のノズルホルダ３１に差し込んで格納するので、ノズル噴霧管２１のランス２２の外径寸法や、あるいはノズル噴霧管の種類が変わっても、広く対応することができる。
また、ノズルホルダ３１の下部が開口しているので、薬液や泥等がノズルホルダ３１に溜まることがない。
【００２３】
また、薬剤タンク１の凹部を覆うシート３２の延長部分３３を丸めて、ノズルホルダ３１を形成しているので、製作コストを低減することができるとともに、部品が増えないのでメンテナンス上も有利である。
さらに、シート３２を薬剤タンク１に固定するねじ１３で、ノズルホルダ３１を薬剤タンク１に固定しているので、部品コストおよび組立コストを低減することができる。
【００２４】
なお、上述の実施の形態では、本発明を肩掛式の噴霧機に適用した場合について説明したが、本発明はこれに限らず、背負式、手提げ式、手持ち式あるいは手押し式などの噴霧機にも適用することができる。
【００２５】
【発明の効果】
以上説明したように、請求項１に記載の噴霧機によれば、ノズルホルダの使い勝手が良く、作業途中においても作業者がノズルホルダを手軽に使うようになり、使用頻度が高くなる。また、ノズルホルダに弾性変形する箇所などがなく、長期間使用することができるとともに、ノズル噴霧管のランスの外径寸法や、あるいはノズル噴霧管の種類が変わっても、広く対応することができ、さらにノズルホルダの下部が開口しているので、薬液や泥等がノズルホルダに溜まることがない。
【００２６】
請求項２に記載の噴霧機によれば、製作コストを低減することができるとともに、部品が増えないのでメンテナンス上も有利である。
請求項３に記載の噴霧機によれば、部品コストおよび組立コストを低減することができる。
【図面の簡単な説明】
【図１】本発明の実施の形態に係る肩掛式の噴霧機を示す背面図である。
【図２】同、側面図である。
【図３】同、シートを展開した状態で示す図である。
【図４】従来の肩掛式の噴霧機を示す正面図である。
【図５】同、側面図である。
【図６】同、背面図である。
【図７】従来のノズルホルダを示す正面図である。
【図８】同、横断面図である。
【符号の説明】
１    薬剤タンク
７    噴霧機本体
１３    ねじ（固定具）
２１    噴霧ノズル管
３１    ノズルホルダ
３２    シート
３３    延長部分（シートの一部）
【図１】
2004261770.tif 000003
【図２】
2004261770.tif 000004
【図３】
2004261770.tif 000005
【図４】
2004261770.tif 000006
【図５】
2004261770.tif 000007
【図６】
2004261770.tif 000008
【図７】
2004261770.tif 000009
【図８】
2004261770.tif 000010